(57)【要約】  本発明は、強い材料によって形成されたルーフパネル構造体を開示し、ボトムパネルと、ボトムパネルに固定された２つの可動バリアロッドとを含む。２つの可動バリアロッドは、ボトムパネルの２つの対向する側に固定されており、ボトムパネルの上方に立ち上げられて傾斜されることができまたはボトムパネル上に平坦に設定されることもできる。本発明の実施により、ルーフパネル構造体の可動バリアロッドが立ち上げられて、小さな物体または荷物を確実に収容および保護するとともに、スキーボードまたはサーフボードなどの長い物体がルーフパネル構造体に装着される場合、可動バリアロッドの少なくとも１つを簡単に平坦に設定して、ルーフパネル構造体においてより多くの空間を設けることができる。したがって、ルーフパネル構造体を多目的ルーフパネル構造体にする。【選択図】図１
2021514896.tif 000002
【特許請求の範囲】
【請求項１】
剛性材料によって形成された多目的ルーフパネル構造体において、
ボトムパネルと、
前記ボトムパネルの２つの対向する側に固定して取り付けられた２つのバリアロッドであって、各バリアロッドの２つの端部が、片側において前記ボトムパネルに別個に結合される、二つのバリアロッドと、
を備え、
前記バリアロッドが、可動バリアロッドであり、前記バリアロッドのそれぞれが、前記ボトムパネル上に立ち上げられて傾斜されるか、または前記ボトムパネル上に平坦に配置される、ルーフパネル構造体。
【請求項２】
２つのバリアバーをさらに備え、各バリアバーは、前記２つのバリアロッドそれぞれのその２つの端部のうちの１つが載置される前記ボトムパネルの片側に強固に結合される、請求項１に記載のルーフパネル構造体。
【請求項３】
前記ボトムパネルは、複数の水平バーおよび複数の垂直バーの固定的な結合のフレームである、請求項１に記載のルーフパネル構造体。
【請求項４】
前記バリアロッドのいずれか１つが、前記ボトムパネルの上方に傾斜して立ち上がる場合、前記バリアロッドは、少なくとも１つの固定片によって、前記バリアロッドの底面から前記ボトムパネルまで取り外し可能に強固に固定される、請求項１に記載のルーフパネル構造体。
【請求項５】
前記バリアロッドのそれぞれが前記ボトムパネルに固定される位置は、前記ボトムパネルの側面である、請求項１に記載のルーフパネル構造体。
【請求項６】
前記バリアバーの形状は湾曲形状である、請求項１に記載のルーフパネル構造体。
【請求項７】
前記バリアロッドが平坦に配置されて前記ボトムパネル上に載置される場合、各バリアロッドが、少なくとも１つの固定具によって前記ボトムパネルに強固に固定される、請求項１から請求項６のいずれか１項に記載のルーフパネル構造体。
【請求項８】
前記ルーフパネル構造体の前記ボトムパネルは、少なくとも２つの構成要素から構成される、請求項１から請求項６のいずれか１項に記載のルーフパネル構造体。
【請求項９】
前記バリアロッドの形状は、Ｕ字型／Ｕタイプバリアロッドである、請求項１から請求項６のいずれか１項に記載のルーフパネル構造体。
【発明の詳細な説明】
【技術分野】
【０００１】
本発明は、パネル構造に関し、より詳細には、少なくとも１つの可動バリアロッドを含むルーフパネル構造体に関する。
【背景技術】
【０００２】
現在、レクリエーションでは自動車が広く使用されているため、特にスキーボード、サーフボードまたはその他のレクリエーション用の大型器具などの大型貨物を運ぶ必要がある場合、ルーフパネルまたはルーフトップコンパートメントに対する消費者の需要は継続的に高まっている。
【０００３】
現在自動車に使用されているルーフパネルは、小さな物体または長い形の物体を収容するために使用される、側面が立ち上げられるまたは立ち上げられない固定フレームであり、収容されることになる様々な物体は、非常に異なるサイズまたは形状であるため、異なるサイズまたは形状の物体のために異なるルーフパネル間で変更することが、これまでの唯一の解決策である。
【０００４】
しかしながら、市場にあるまたは使用されている公知の全ての既存のルーフパネルは、固定されるのが非常に困難であり、この場合、収容された物体もまた、振動や風に弱い傾向があり、簡単に緩んで自動車の乗客や道路上の人々もしくは自動車を危険にさらす。
【発明の概要】
【０００５】
それは、可動バリアロッドを備えた新たなルーフパネルを発明することによる革新および改善の必要性をもたらし、これは、ほぼ全ての種類の自動車に適用することができるだけでなく、可動バリアロッド独創的な発明により、収容されることになる異なるサイズまたは形状の物体が物体を収容する要件に応じて可動バリアロッドを異なる位置に調整することによってルーフパネルにしっかりと固定および締結されることができる。
【０００６】
本発明は、強い材料によって形成されたルーフパネル構造体を開示し、ボトムパネルと、ボトムパネルに固定された２つの可動バリアロッドとを含む。２つの可動バリアロッドは、ボトムパネルの２つの対向する側に固定されており、２つの可動バリアロッドは、ボトムパネルの上方に立ち上げられて傾斜されることができ、またはボトムパネル上に平坦に配置することもできる。本発明の実施により、ルーフパネル構造体の可動バリアロッドが立ち上げられて、小さな物体または荷物を確実に収容および保護するとともに、スキーボードまたはサーフボードなどの長い物体がルーフパネル構造体に装着される場合、可動バリアロッドの少なくとも１つを簡単に平坦に配置して、ルーフパネル構造体においてより多くの空間を設けることができる。したがって、ルーフパネル構造体を多目的ルーフパネル構造体にする。
【０００７】
本発明は、剛性材料によって形成されたルーフパネル構造体において、ボトムパネルと、ボトムパネルの２つの対向する側に固定して取り付けられた２つのバリアロッドとを備え、各バリアロッドの２つの端部が、片側においてボトムパネルに別個に結合され、バリアロッドが、可動バリアロッドであり、バリアロッドのそれぞれが、ボトムパネル上に立ち上げられて傾斜されるか、またはボトムパネル上に平坦に配置される、ルーフパネル構造体を提供する。
【０００８】
本発明の実施は、少なくとも以下の進歩性を有する：
【０００９】
１．可動バリアロッドは、バッグ、荷物または小さな貨物をしっかりと収容して良好に保護するように傾斜されて立ち上げることができる。
【００１０】
２．可動バリアロッドは、平坦に下降されて、スキーボードまたはサーフボードなどの長い物体または大きな物体を収容して保護することができる。
【００１１】
本発明の特徴および利点は、好ましい実施形態を参照して以下に詳述される。詳細な説明は、当業者が本明細書に開示された技術的内容を洞察し、それに応じて本発明を実施することを可能にするように意図される。特に、当業者は、明細書の開示、特許請求の範囲、および添付図面を参照することにより、本発明の目的および利点を容易に理解することができる。
【図面の簡単な説明】
【００１２】
本発明ならびに好ましい使用モード、そのさらなる目的および利点は、添付図面と併せて読まれたときに、例示的な実施形態の以下の詳細な説明を参照することによって最もよく理解されるであろう。
【００１３】
【図１】本発明の実施形態にかかるルーフパネル構造体の概略三次元図である。
【００１４】
【図２】本発明の実施形態にかかるルーフパネル構造体の概略側面図である。
【００１５】
【図３】本発明の実施形態にかかるバリアバーをさらに含むルーフパネル構造体の概略三次元図である。
【００１６】
【図４】本発明の実施形態にかかるボトムパネルの概略三次元図である。
【００１７】
【図５】本発明の実施形態にかかる固定片によってボトムパネルに固定された、立ち上げられたバリアロッドを備えたルーフパネル構造体の概略三次元図である。
【００１８】
【図６】本発明の実施形態にかかる、バリアロッドが平坦に下降されて固定具によってボトムパネルに固定されたルーフパネル構造体の概略三次元図である。
【００１９】
【図７】本発明の実施形態にかかる２つの異なる構成要素が組み合わされるボトムパネルの概略三次元図である。
【発明を実施するための形態】
【００２０】
本発明の実現のさらなる理解および認識のために、図を例示する実施形態を以下に提供する。
【００２１】
図１および図２を参照すると、本発明の実施形態では、自動車の屋根において物体をしっかりと収容して保護するために使用される多目的ルーフパネル構造体１００が提供され、ルーフパネル構造体１００は、ボトムパネル１０と、２つのバリアロッド２０とを含む。
【００２２】
図１、図２および図４に示すように、ボトムパネル１０は、１種類の剛性材料によって構成される場合、複数の水平バー１４および複数の垂直バー１５の固定された結合であるフレーム１３とすることができる。他の実施形態では、ボトムパネル１０はまた、剛性プレートとすることができる。
【００２３】
図１および図２からわかるように、２つのバリアロッド２０は、この実施形態では、ボトムパネル１０の２つの対向する側１１に強固に固定されている。各バリアロッド２０は、その２つの端部２１によってボトムパネル１０に結合される。ボトムパネル１０の対向する側１１は、通常、ボトムパネル１０の長辺であり、バリアロッド２０がボトムパネル１０に固定される位置は、ボトムパネル１０の側面上とすることができる。
【００２４】
図１〜図４に示すように、バリアロッド２０は、可動バリアロッド２０であり、これは、その２つの端部２１を旋回中心として使用してルーフパネル構造体１００の上方に傾斜して立ち上げることができ、または可動バリアロッド２０は、必要に応じてボトムパネル１０上に平坦に配置することができる。
【００２５】
さらに、バリアロッド２０の材料の選択に特定の制限はなく、アルミニウム、アルミナ合金またはアルミニウム−マグネシウム合金などの軽量で剛性の材料を通常使用することができる。準備を簡単にするために、バリアロッド２０およびボトムパネル１０に同じ材料を選択することができる。
【００２６】
バリアロッド２０の形状も特に制限はない。図面に示される実施形態では、Ｕ字形／Ｕタイプのバリアロッド２０が選択される。
【００２７】
図３を参照すると、ルーフパネル構造体１００は、本発明の実施形態にかかる２つのバリアバー３０をさらに含み、各バリアバー３０は、２つのバリアロッド２０それぞれの２つの端部２１のうちの１つが載置されるボトムパネル１０の片側１１に強固に結合される。
【００２８】
図３に示されるようなバリアバー３０のサイズまたは形状は、用途によって必要に応じて選択することができ、湾曲、多角形もしくは不規則な形状、または多くの他の形状を全て使用することができる。バリアバー３０に使用される材料に関しては、任意の軽量で剛性の材料、またはバリアロッド２０もしくはボトムパネル１０に使用されるのと同じ材料を選択することができる。
【００２９】
図５に示すように、ルーフパネル構造体１００の実施形態では、バリアロッド２０のいずれかがボトムパネル１０の上方に傾斜して立ち上がる場合、バリアロッド２０は、少なくとも１つの固定片４０によって、バリアロッド２０の底面２２からボトムパネル１０まで取り外し可能に強固に固定される。
【００３０】
図６に示すように、バリアロッド２０が平坦に配置されてボトムパネル１０上に載置される場合、本発明の実施形態では、各バリアロッド２０は、少なくとも１つの固定具５０によってボトムパネル１０に強固に固定される。
【００３１】
さらにまた、図７にさらに示すように、本発明の実施形態におけるルーフパネル構造体１００のボトムパネル１０は、保管もしくは輸送の容易さもしくは安全性の向上、または保管時または輸送時の衝突防止のために、少なくとも２つの構成要素６０から構成することができる。
【００３２】
結論として、公知の既存の解決策によっては達成することができない以下のような複数の改善は、本発明の単一のルーフパネル構造体１００のバリアロッド２０を傾斜して立ち上げるかまたは平坦に配置することによって達成することができる：第１に、バッグ、荷物、または小さな貨物は、ボトムパネル１０とともに傾斜して立ち上げられたバリアロッド２０によってしっかりと収容されて良好に保護され得る。また、第２に、バリアロッド２０は、平坦に設定されてボトムパネル１０に固定され、ルーフパネル構造体１００がスキーボードまたはサーフボードなどの長い物体または大きな物体をしっかりと収容して良好に保護することができる。
【００３３】
上述した実施形態は、当業者が本明細書に開示された内容を理解および実施することを可能にするように、本発明の技術的概念および特徴を実証することのみを意図している。開示された実施形態は、本発明の範囲を限定するものではないことが理解される。したがって、本発明の概念に基づく全ての均等の変形または変更は、添付の特許請求の範囲に含まれるべきである。
【図１】
2021514896.tif 000003
【図２】
2021514896.tif 000004
【図３】
2021514896.tif 000005
【図４】
2021514896.tif 000006
【図５】
2021514896.tif 000007
【図６】
2021514896.tif 000008
【図７】
2021514896.tif 000009
【国際調査報告】
2021514896.tif 000010
2021514896.tif 000011
2021514896.tif 000012
2021514896.tif 000013